(57)【要約】【課題】ユーザの現状の髪状態や環境状況までも考慮に入れるとともに、セット進行途中においてもリアルタイムに変更可能なヘアスタイルを提示すること。【解決手段】撮像部と、ヘアスタイルの見本やヘアセット手順のデータを格納するヘアスタイルデータベースと、撮像部で抽出した外見データとヘアスタイルデータベースに格納されたヘアスタイルデータとのシミュレーションによってヘアスタイルの候補やヘアセット手順などを提示するデータ処理部と、提示されたヘアスタイルセットデータを表示する表示部と、を備えたヘアセット支援システムであって、選択した希望のヘアスタイルとヘアセット手順を表示し、希望ヘアスタイルのヘアセット手順の途中において現時点での髪の状況を表示することでリアルタイムにヘアセット現状をチェックでき、へアセットへのアドバイスや他のスタイルへの変更も行える。【選択図】図７
2009098716.tif 000002
【特許請求の範囲】
【請求項１】
ユーザの髪の状況を撮影する１台以上の撮像部と、
ヘアスタイルの見本、ヘアセット手順、ヘアセットに要する商品、ヘアセット完成に要する目安時間などのヘアスタイルデータを格納するヘアスタイルデータベースと、
前記撮像部で撮影された画像情報を処理、解析して髪の長さ、ヘアセット状況、輪郭などのヘアスタイルに関する外見データを抽出し、前記抽出した外見データと前記ヘアスタイルデータベースに格納されたヘアスタイルデータとのシミュレーションによって、ヘアスタイルの候補、前記候補となったヘアスタイルのヘアセット手順、ヘアセットに要する商品などのヘアスタイルセットデータの提示を行うデータ処理部と、
前記データ処理部で提示された前記ヘアスタイルセットデータを表示する表示部と、を備えたヘアセット支援システムであって、
前記データ処理部が、前記表示されたヘアスタイル候補の中から希望するヘアスタイルを選択し、前記希望のヘアスタイルとヘアセット手順を含む前記ヘアスタイルセットデータを前記表示部に表示し、
前記希望のヘアスタイルにおけるヘアセット手順の途中において前記撮像部で髪の状況を常時または一定時間間隔で撮像し前記撮像した髪の現時点での状況を前記表示部に表示することでリアルタイムにヘアセットの支援を行う
ことを特徴とするヘアセット支援システム。
【請求項２】
請求項１において、
前記希望のヘアスタイルにおけるヘアセット手順の途中において、ヘアスタイルの途中変更機能を動作させることによって、その動作時点で抽出した外見データを基にヘアスタイル候補の絞り込みを行い、ヘアセット途中での他のヘアスタイルへの変更を可能とする
ことを特徴とするヘアセット支援システム。
【請求項３】
請求項１または２において、
ヘアスタイルの類型、所持する整髪料の種類と量、ヘアセット完了に許容される時間、服装などの検索条件を入力する操作入力部を設け、前記操作入力部で検索条件を入力することによって、前記ヘアスタイル候補の絞り込みを行う
ことを特徴とするヘアセット支援システム。
【請求項４】
請求項１、２または３において、
前記撮像部はユーザの髪の状況に加えて、ユーザの顔と服装を撮影し、前記データ処理部は前記髪の長さ、ヘアセット状況、輪郭などのデータの抽出に加えて、ユーザの顔と服装に関するデータを抽出し、より情報量の多い外見データに基づいて、初回のヘアスタイルの候補を提示する
ことを特徴とするヘアセット支援システム。
【請求項５】
ユーザの髪の状況を撮影する撮像部と、
ヘアスタイルの見本、ヘアセット手順などのヘアスタイルデータを格納するヘアスタイルデータベースと、
前記撮像部で撮影された情報を処理、解析して髪の長さ、ヘアセット状況などのヘアスタイルに関する外見データを抽出するデータ処理部と、
前記抽出した外見データと前記ヘアスタイルデータベースに格納されたヘアスタイルデータとのシミュレーションによって、ヘアスタイルの候補、前記候補となったヘアスタイルのヘアセット手順などのヘアスタイルセットデータの提示を行う制御部と、
前記制御部で提示された前記ヘアスタイルセットデータを表示する表示部と、を備えたヘアセット支援システムであって、
前記制御部が、前記表示されたヘアスタイル候補の中から希望するヘアスタイルを選択し、前記希望のヘアスタイルとそのヘアセット手順を含むヘアスタイルセットデータを前記表示部に表示し、さらに、前記希望のヘアスタイルにおけるヘアセット手順の途中において前記撮像部によって髪の状況を常時または一定時間間隔で撮像し、前記撮像した髪の現時点での状況を前記表示部に表示する
ことを特徴とするヘアセット支援システム。
【発明の詳細な説明】
【技術分野】
【０００１】
本発明は、データベースに格納されたヘアスタイルデータとユーザの髪、顔、服装などの外見データを基にしてユーザのヘアセットを支援するシステムに係わり、特に、ユーザのリアルタイムな条件を加味したヘアセット支援システムに関する。
【背景技術】
【０００２】
ヘアセットのアドバイスシステムの従来技術として、例えば、特許文献１には、顔写真画像に種々のヘアスタイル画像を合成させて表示し、希望するヘスタイルを選択させることが提案されている。
【０００３】
特許文献１におけるヘアセットアドバイスシステムによると、インターネット等の情報回線を通じて接続されるクライアントコンピュータとサーバとからなり、サーバは、複数種のヘアスタイル画像を備えて、クライアントコンピュータから送られてきた顔写真画像にヘアスタイル画像を合成してクライアントコンピュータに送り、クライアントコンピュータにこれら合成されたヘアスタイル画像を表示させて、希望するヘアスタイルの選択画面とする。また、希望するヘアスタイルをセットするのに適した商品（ヘアドライヤ、ヘアカーラー、整髪料など）とその使用方法を提供することも開示されている。
【特許文献１】特開２００２−１３３２８０号公報
【発明の開示】
【発明が解決しようとする課題】
【０００４】
上記特許文献１に示すような従来技術におけるヘアセットアドバイスシステムは、ユーザとヘアスタイルのシミュレーションを実施し、セットに必要な手順やヘアドライヤや整髪料の情報を提供し、ユーザのヘアセットのアドバイスを行うことは開示されているが、ユーザの髪の状態（髪長さ、髪質、髪色）やユーザの環境状況（ヘアセットの所要時間、服装がフォーマルかカジュアルか）を配慮したヘアセットの支援とはなっておらず、単なるヘアセットの手順提示にとどまっている。このように、引用文献１では、ヘアセットに要する時間を考慮に入れておらず、使用する整髪料の残量の多寡判断がなく、へアセットが見本通りでない場合の対処法が示されていないと云う課題が存する。
【０００５】
本発明の目的は、上述した従来技術の課題を解決するためのものであり、主として、ユーザの現状の髪状態や環境状況までも考慮に入れるとともに、セット進行途中においてもリアルタイムに変更可能なヘアスタイルを提示することのできるヘアセット支援システムを提供することにある。
【課題を解決するための手段】
【０００６】
前記課題を解決するために、本発明は主として次のような構成を採用する。  
ユーザの髪の状況を撮影する１台以上の撮像部と、ヘアスタイルの見本、ヘアセット手順、ヘアセットに要する商品、ヘアセット完成に要する目安時間などのヘアスタイルデータを格納するヘアスタイルデータベースと、前記撮像部で撮影された画像情報を処理、解析して髪の長さ、ヘアセット状況、輪郭などのヘアスタイルに関する外見データを抽出し、前記抽出した外見データと前記ヘアスタイルデータベースに格納されたヘアスタイルデータとのシミュレーションによって、ヘアスタイルの候補、前記候補となったヘアスタイルのヘアセット手順、ヘアセットに要する商品などのヘアスタイルセットデータの提示を行うデータ処理部と、前記データ処理部で提示された前記ヘアスタイルセットデータを表示する表示部と、を備えたヘアセット支援システムであって、
前記ヘアスタイル候補の中から希望するヘアスタイルを選択して、前記希望のヘアスタイルとヘアセット手順を前記表示部に表示し、前記希望のヘアスタイルにおけるヘアセット手順の途中において前記撮像部で髪の状況を常時または一定時間間隔で撮像し前記撮像した髪の現時点での状況を前記表示部に表示することでリアルタイムにヘアセットの支援を行う構成とする。
【０００７】
また、前記ヘアセット支援システムにおいて、前記希望のヘアスタイルにおけるヘアセット手順の途中において、ヘアスタイルの途中変更機能を動作させることによって、その動作時点で抽出した外見データを基にヘアスタイル候補の絞り込みを行い、ヘアセット途中での他のヘアスタイルへの変更を可能とする構成とする。さらに、前記ヘアセット支援システムにおいて、ヘアスタイルの類型、所持する整髪料の種類と量、ヘアセット完了に許容される時間、服装などの検索条件を入力する操作入力部を設け、前記操作入力部で検索条件を入力することによって、前記ヘアスタイル候補の絞り込みを行う構成とする。
【発明の効果】
【０００８】
本発明によれば、ユーザの現時点での髪の伸びや色に対応し、さらに、セットされたヘアスタイルで出掛ける予定や気分（例、ヘアセットに掛けられる時間、デート又は仕事上の打ち合わせなどの環境条件）に対応した適宜のヘアスタイルを提示することができる。また、ヘアセット進行途中においてもリアルタイムに他のヘアスタイル変更を提示することができる。
【発明を実施するための最良の形態】
【０００９】
本発明の実施形態に係るヘアセット支援システムについて、図面を参照しながら以下詳細に説明する。図１は本発明の実施形態に係るヘアセット支援システムの全体構成を示すブロック図である。図２は本実施形態に係るヘアスタイル支援システムにおける処理手順の概念を示す図である。図３は本実施形態に係るヘアセット支援システムにおける処理手順の基本形を示す説明図である。
【００１０】
また、図４は本実施形態に係るヘアセット支援システムにおける処理手順の基本形にセット途中変更機能を付加した場合の説明図である。図５は本実施形態に係るヘアセット支援システムにおける処理手順の基本形にユーザの要望・検索条件を付加した場合の説明図である。図６は本実施形態に係るヘアセット支援システムにおける処理手順の基本形に外見データ拡張機能を付加した場合の説明図である。図７は本実施形態に係るヘアセット支援システムにおける処理手順の基本形に種々の機能を付加した場合の全体手順を示す説明図である。
【００１１】
図１において、本発明の実施形態に係るヘアセット支援システムは、撮像部２、ヘアスタイルデータベース３、データ処理部４、表示部５、操作入力部６（必須要素ではない）、とから構成され、その概要は、ユーザが現時点での髪の状態に見合ったヘアセットをユーザ自身がセットするためのヘアスタイルをリアルタイムに提示可能とするものである。
【００１２】
本発明の実施形態に係るヘアセット支援システムにおける撮像部２は、Ｗｅｂカメラ、ビデオカメラ等のようにユーザを撮影し、髪と顔と服装などの状態の取得に使用するものであり、対象物の撮影及びデータ化が可能なものであれば、その種類を問わず、精度向上のために複数台でも構わない。また、動画、静止画（一定時間間隔、適宜の時間間隔での静止画）どちらでも構わない。撮像部の台数、性能、設置場所はデータ処理部４の処理精度や処理速度に影響を及ぼす。
【００１３】
ヘアスタイルデータベース３は、パソコン（ＰＣ）、Ｗｅｂサーバ、ＴＶやＨＤＤレコーダー等のデジタル家電（データ格納手段として）、に構築されたデータベースであり、ユーザへのヘアスタイルの提示やヘアセット時の見本、教科書データとなるヘアスタイルデータが複数格納されているものである。
【００１４】
ヘアスタイルデータの作成の仕方としては、ユーザ作成のオリジナルヘアスタイル、ユーザが過去にセットしたヘアスタイル、美容師が作成したヘアスタイル、雑誌社(ヘアマガジン、ファッション誌等)によるヘアスタイル等があり、ヘアスタイルの取得（提供）の仕方としては、ヘアマガジン等の雑誌の付録(ＣＤ等)、雑誌社やヘアスタイル商品の企業のホームページ、ユーザ間のネット上での情報共有、美容室・床屋等で直接手渡し(ＣＤ等)等がある。
【００１５】
また、ヘアスタイルデータベース３に格納されたヘアスタイルデータの主な内容は、見本の画像又は動画(セット完了時、セット前、セット途中等)、ヘアセット手順（例、頭髪のトップ部を立ててワックスで固め、その頭髪のサイド部にドライヤを当てて盛り上げる等の手順）、セットに適した整髪料（ワックス、ムース、ジェル）、ヘアスタイルに相性の良い輪郭や髪質や顔の特徴、人気（ユーザ間での投票、コメント等)、完成にかかる目安時間、ジャンル（ヘアスタイルがフォーマルかカジュアルか、さわやか系、元気系、ハードボイルド系か等）である。
【００１６】
データ処理部４は、パソコン（ＰＣ）、Ｗｅｂサーバ、ＴＶやＨＤＤレコーダー等のデジタル家電（データの処理手段として）等を用いて、撮像部２で撮影された画像情報を処理・解析しユーザの外見データを抽出するものである。抽出データは髪の長さ、髪質、髪のセット状況、髪の輪郭などのヘアスタイルに関するデータであり、さらに、拡張機能として、顔の特徴（眉の太さ・長さ、ほくろ、一重まぶた等）データやユーザの着ている服装データも抽出可能である。ここで、外見データは、撮像部からの画像情報を処理・解析したユーザの髪、顔、服装などのデータであり、この内で髪の長さ、ヘアセット状況、輪郭のデータは、本実施形態に関するヘアスタイルデータとして必要最低限のデータであるが、顔の特徴や服装のデータは本実施形態で必ずしも必須のデータではないが、これらのデータを活用することで、より精度の高いヘアセット支援やヘススタイル候補の細かい検索・絞り込みが可能となる。
【００１７】
さらに、データ処理部４は撮影された画像情報に対して画像認識して次のような処理を実施する。すなわち、ユーザの現状態（外見データ）を抽出・判別し（髪の輪郭、髪の長さ、髪の量、セット状況、又は顔や服装等）、ユーザの現状態とヘアスタイルデータベース３とを比較し、ヘアスタイルデータベース３に登録されているヘアスタイルのシミュレーションを行い、目的のヘアスタイルにセットするための手順を作成する。なお、以上の説明で、データ処理部４は撮影された画像情報に対する画像認識と処理と行って、撮像部からの外見データとヘアスタイルデータベースのヘアスタイルデータとのシミュレーションの結果、ユーザの外見データに相応しいヘアスタイル候補を提示するとしたが、データ処理部は、撮像部からの画像情報を処理・解析しユーザの外見データ（髪、顔、服装のデータ）を抽出する機能を果たさせるものであって、データ処理部とヘアスタイルデータベースとのデータ比較、シミュレーション、ヘアスタイル候補の提示については、データ処理部から切り離して、不図示の制御部で実施させるようにしてもよい。
【００１８】
表示部４は、ＴＶ等の表示手段を用いて、撮像部２で撮影されたユーザ１、目的のヘアスタイルのヘアセット手順、ヘアセット途中の時点から変更可能な別のヘアスタイル、ヘアセット不十分箇所の強調、等を表示するものである。
【００１９】
操作入力部６は、必ずしも本実施形態における必須構成要素ではないが、ヘアスタイルデータベース３から抽出するヘアスタイル候補の絞り込みのために、ユーザ１による要望や検索条件を操作入力するためのものである。この要望・検索条件としては、ジャンル（ヘアスタイルがフォーマルかカジュアルか、さわやか系、元気系、ハードボイルド系か等）、使用する整髪料（保有する整髪料の種類や残量）、許容所要時間（４０分掛けてもよいのか、１０分で済ませるのか）、服装（Ｔシャツか、スーツか）が挙げられる。
【００２０】
図２を参照して、本実施形態に係るヘアセット支援システムにおける処理手順の基本概念を説明する。まず、撮像部２によってユーザ１を撮影し（Ｓ１）、次に、ヘアスタイルの候補表示をモデルとの合成にするかユーザとの合成によるかを選択し（Ｓ２）、選択の結果、モデルによるヘアスタイルの一覧表示（Ｓ３）及び／又はユーザによるヘアスタイル一覧表示（Ｓ４）をさせる（いずれか一方を表示してもよく、双方を表示してもよい）。
【００２１】
ここにおいて、複数のヘアスタイル候補が表示され、この際、ヘアスタイル候補が多数存在すると、ヘアスタイルの絞り込みができるようにする。すなわち、ユーザ１による操作入力部６からの条件設定によってヘアスタイルの絞り込みを行う（Ｓ１１）。絞り込みを行った場合はヘアスタイル表示（Ｓ２）に戻り、絞り込みを行わない場合は次のステップ（Ｓ６）に進む。なお、絞り込みの際に設定する条件としては、使用整髪料の種類、整髪料使用量の上限、セットに許容される所要時間、当日の服装等がある。
【００２２】
次に、表示部に表示された複数のヘアスタイル候補の中から希望する目的のヘアスタイルを１つ選択する（Ｓ６）。選択の結果、目的のヘアスタイルセットの手順、要する時間、整髪料等をデータ処理部４が求める（Ｓ７）。データ処理部４におけるデータ処理結果が表示部５に表示され、この表示された内容に従ってユーザ１自身がヘアセットを実行する（Ｓ８）。
【００２３】
さらに、ステップＳ８におけるヘアセット実行中に、ヘアスタイルの変更希望が有るか無いかが選択され（Ｓ９）、変更希望があるときには条件を設定して（例、セット所要時間を４５分から２０分に短縮して）（Ｓ１２）、Ｓ１に戻る。ヘアスタイルの変更希望が無いときにはそのままヘアスタイルのセットを継続して実行する（Ｓ１０）。
【００２４】
以上説明した本実施形態に係るヘアセット支援システムにおける処理手順は、その基本概念を説明したものであって、次に、本実施形態に係るヘアセット支援システムの処理手順について、その具体化した手順を説明する。図３は本実施形態に係るヘアセット支援システムの処理手順における基本形を説明する図であり、図３の（１）によると、撮影部２は、ユーザの現状の外見データ（髪の長さ、髪質、髪のセット状況、輪郭）を取り込み、この外見データをヘアスタイルデータベース３からのヘアスタイル候補の絞り込みに用いる。すなわち、撮影部２から入手したユーザの現状の外見データは初回のヘアスタイル候補絞り込み用に使用する。
【００２５】
ヘアスタイルデータベース３からはモデル及び／又はユーザの顔におけるヘアスタイル候補が複数表示されることとなる。そこで、ユーザは希望のヘアスタイルを１つ選択して目的のヘアスタイルを決定する。この目的のヘアスタイルについて、データ処理部４がヘアセット内容、ヘアセット手順、ヘアセット所要時間を処理して表示部５に表示するので、この表示内容にしたがってユーザはヘアスタイルをセットする。また、ユーザの現時点での外見データを一定間隔又は常時取得して表示し、目的のヘアスタイルと比較しその完成度をチェックする。すなわち、図３に示す本実施形態によると、単なるヘアセットの手順提示だけでなく、リアルタイムにユーザのヘアスタイル支援を行って、ユーザに対してリアルタイムに見本を示すことができる。そうすると、ヘアセットに不慣れなユーザでも、撮像部２によってヘアセットの状況をリアルタイムにチェックできるため、目的のヘアスタイルとの対比検討が常に可能となる。さらに、後述する図７で説明するが、他のヘアスタイルへの変更も可能である。なお、図３の（２）に示すように、実線の太矢印は１回又は必要時にのみシステムが実行する処理であり、破線の太矢印は一定間隔又は常時にシステムが実行する処理であり、破線の細矢印はユーザの選択による処理を示し、この処理の表示態様は、後述する図４〜図７に適用される。
【００２６】
図４は図３に示す基本形に対して、ヘアセット進行中にヘアスタイルの途中変更機能を追加した処理手順を示している。ヘアスタイル候補の中から、一度、目的のヘアスタイルを選択してそのヘアセットを実行中に、例えば、ヘアセット途中までに時間が掛かりすぎてヘアセット完成に時間的余裕が無くなった場合、又は特定の整髪料を使いすぎて完成するには当該整髪料が不足する場合、ハードボイルド系のスタイルを一度選択したがヘアセット途中でさわやか系に変更する場合、などのように急に予定変更した場合における救済措置を可能とするものである。目的のヘアスタイルが選択されヘアセット途中であっても、途中変更機能をオフからオンに設定することによって、又は途中変更機能を当初オフに設定しておいて一定間隔毎にオンするか否かを判断設定することによって、当初のヘアセットを全くご破算にせずに有効利用してヘアスタイルの候補の絞り込みを行おうとするものである。すなわち、ヘアスタイルの途中変更機能をオンしたときに、その時点でセット進行に合わせて外見データを取得し、リアルタイムにヘアスタイルデータベース３からのヘススタイル候補を絞り込み、実行中であったヘアセットを救済しようとするものである。
【００２７】
図５は図３に示す基本形にユーザの要望・検索条件を追加した処理手順を示しており、ヘアスタイルデータベース３からのヘアスタイル候補が多数抽出されるときに（ユーザの現状の外見データを取り込んで初回のヘアスタイル候補絞り込みの際に多数抽出されるとき、または次の絞り込みの際になお多数抽出されるとき）、要望・検索条件を付加して多数抽出の絞り込みを行う。この絞り込みのよってヘアスタイル候補を減らすことができる。ここで、ユーザの要望・検索条件としては、ジャンル（ヘアスタイルがフォーマルかカジュアルか、さわやか系、元気系、ハードボイルド系等のヘアスタイルの類型）、使用する整髪料（ユーザの保有する整髪料の種類と残量）、許容所要時間（４０分掛けてもよいのか、１０分で済ませるのか）、服装（Ｔシャツか、スーツか）などが挙げられる。
【００２８】
図６は撮影部２による外見データの取得にあたって、髪の長さ、髪質などに加えて、顔の特徴、服装（スーツ、Ｔシャツ）を外見データの拡張要素とするものであり、この拡張要素によってヘアスタイル候補の絞り込みに役立てるものである。すなわち、ユーザの外見データとして、髪の長さ、髪質、髪のセット状況、輪郭などの必須データに加えて、ユーザの顔の特徴や服装などの外見データの拡張要素を取得する。例えば、髪質が硬いというユーザの外見データを取得することで髪の毛を立てるヘアスタイルが候補として表示され得るが、就職面接用の服装である外見データを同時に取得すると、髪の毛を立てるという奇抜なスタイルは候補から外されることとなって、ヘアスタイル候補の絞り込みが行われる。
【００２９】
図７は、図３から図６に示す本実施形態に係るにおける具体的な処理手順を全て含んだ包括的な手順を説明する図であり、図３乃至図６で説明したとおりである。図７に示すヘアセット支援システムを採用することによって、日時の経過によってユーザの髪が伸びても、その時点で実現可能なヘアスタイルを常に提示することができる。また、寝坊等の様々な理由により、ヘアセットに余り時間を割けない場合でも、限られた時間でセット可能なヘアスタイルを提示することができる。さらに、ユーザの所有している整髪料の量・種類が少ない場合であっても、それに見合ったセット可能なヘアスタイルを提示することができる。また、ヘアセットに不慣れなユーザでも、撮像部によってセットの現在の状況をチェックできるため、リアルタイムにヘアセットへの注文を発することができる。また、目的のヘアセット途中においても、他のヘアセットへの変更も可能とすることができる。
【図面の簡単な説明】
【００３０】
【図１】本発明の実施形態に係るヘアセット支援システムの全体構成を示すブロック図である。
【図２】本実施形態に係るヘアセット支援システムにおける処理手順の概念を示す図である。
【図３】本実施形態に係るヘアセット支援システムにおける処理手順の基本形を示す説明図である。
【図４】本実施形態に係るヘアセット支援システムにおける処理手順の基本形にセット途中変更機能を付加した場合の説明図である。
【図５】本実施形態に係るヘアセット支援システムにおける処理手順の基本形にユーザの要望・検索条件を付加した場合の説明図である。
【図６】本実施形態に係るヘアセット支援システムにおける処理手順の基本形にユーザ外見データ拡張機能を付加した場合の説明図である。
【図７】本実施形態に係るヘアセット支援システムにおける処理手順の基本形に種々の機能を付加した場合の全体手順を示す説明図である。
【符号の説明】
【００３１】
１  ユーザ
２  撮像部
３  ヘアスタイルデータベース
４  データ処理部
５  表示部
６  操作入力部
【図１】
2009098716.tif 000003
【図２】
2009098716.tif 000004
【図３】
2009098716.tif 000005
【図４】
2009098716.tif 000006
【図５】
2009098716.tif 000007
【図６】
2009098716.tif 000008
【図７】
2009098716.tif 000009